(57)【要約】【課題】本発明は、製造コストが安価であり、試着者に危険性を全く感じさせず、かつ、付け睫毛の装着状態が容易に確認でき、しかも、繰り返し使用するための付け睫毛試着具を提供することにある。【解決手段】本発明に係る付け睫毛試着具１０は、透明樹脂板上に透明な付け睫毛貼着部１１を備え、該付け睫毛貼着部１１は、付け睫毛Ａを貼着することが可能であり、少なくとも片方の目及びその上下両目蓋を覆う大きさを有することを特徴とするものである。【選択図】        図２
2013189724.tif 000002
【特許請求の範囲】
【請求項１】
透明樹脂板上に透明な付け睫毛貼着部を備え、
該付け睫毛貼着部は、付け睫毛を貼着することが可能であり、少なくとも片方の目及びその上下両目蓋を覆う大きさを有する
ことを特徴とする付け睫毛試着具。
【請求項２】
複数の付け睫毛貼着部を備えてなることを特徴とする請求項１に記載の付け睫毛試着具。
【請求項３】
透明樹脂板の周縁が、中心から遠い凸部と中心に近い凹部とからなる屈曲状又は湾曲状をなし、前記凸部の１つ又は複数が付け睫毛貼着部であることを特徴とする請求項１又は２に記載の付け睫毛試着具。
【請求項４】
付け睫毛貼着部が、平坦面であることを特徴とする請求項１〜３のいずれか１項に記載の付け睫毛試着具。
【請求項５】
付け睫毛貼着部が、透明樹脂板上に設けた隆起部を備え、該隆起部は透明樹脂板から突出する円弧と、該円弧の両端点を共通にし、透明樹脂板状上の円弧とから形成される傾斜曲面を有する立体形状をなしていることを特徴とする請求項１〜３のいずれか１項に記載の付け睫毛試着具。
【発明の詳細な説明】
【技術分野】
【０００１】
本発明は、付け睫毛試着具に関し、特に付け睫毛を実際に装着せずに装着した状態を目視により確認できる付け睫毛試着具に関する。
【背景技術】
【０００２】
付け睫毛には、毛の密度の違い、毛の伸びる方向すなわち全て放射状に伸びているか交差させて伸びているかの違い、カールの度合の違い、色合いの違い、質感の違い等により、様々な種類の商品が開発・製品化され、販売されている。一方、付け睫毛は、それ自体で睫毛としての立体的形状を有しており、そのため、型くずれを防ぐために包装容器に収納されて販売されている。したがって、販売店において包装容器を開けて付け睫毛を取り出して試着するというようなことは、付け睫毛が型くずれしたり汚損あるいは不衛生となるため、一般に許されない。
【０００３】
消費者は、このような様々な種類の付け睫毛が包装容器に収納された状態で、付け睫毛の形状等を確認しながら自分の目元に装着した状態を想像し、自分に似合いそうな付け睫毛を選択し、購入しているのが実情である。
【０００４】
しかし、現実には、商品が自分に似合いそうであるか否かは、使用経験によるところが大きく、様々な種類の商品中、その多くが装着したことのない製品であることから、自分に似合いそうな商品であるか否かを判別することは勘に頼らざるを得ず、結局、購入後に装着してはじめて自分に似合っているか否かが判断できるのが現状である。
【０００５】
そこで、下記特許文献１〜３に示される試着具が提案されている。
【０００６】
下記特許文献１には、付け睫毛用試着表現ツールが示されており、当該付け睫毛用試着表現ツールは、目蓋を覆い得る如く、目蓋の湾曲度に合わせて皿状に湾曲せしめてなる透明樹脂薄板製のカバーと、前記カバーの下縁を、眼の横幅より稍々広い幅で、開眼時の右眼上目蓋の円弧に合わせた弧状に切断形成してなる付け睫毛構成縁と、前記付け睫毛構成縁に沿って付設した付け睫毛とよりなるものである。
【０００７】
下記特許文献２には、付け睫毛カウンセリング用具が示されており、当該付け睫毛カウンセリング用具は、全体が細線状素材で形成されるカウンセリング用具であって、このカウンセリング用具の一端部に、前方に向かって円弧状に膨隆する付け睫毛の仮接着部を形成し、この仮接着部の目頭側の端部を目にかからない位置で下方に屈曲して縦軸部を形成し、この縦軸部の下端を目と鼻にかからない位置で目尻側に屈曲して戻り勾配部を形成し、この戻り勾配部の下端をさらに下方に屈曲して延伸把持部を形成したものである。
【０００８】
下記特許文献３には、試着ツールが示されており、当該試着ツールは、付け睫毛の試着に用いられる試着ツールであって、使用者によって保持されるグリップ部と、前記付け睫毛の基端部を支持し、前記グリップ部から延びる棒状の支持部とを有し、前記支持部は、眼を開いたときの前記付け睫毛の装着ラインに沿って延びている構成である。
【０００９】
下記特許文献４には、付け睫毛用容器が示されており、該容器は、透明な容器本体内に付け睫毛を実装状態に指示し得る支持体を設けるようにしたものであり、購入者は容器本体ごと目にあてがい鏡を見ることによって自分の好みや大きさ等を確認できるようにしたものである。
【先行技術文献】
【特許文献】
【００１０】
【特許文献１】実用新案登録第３０９０２６２号公報
【特許文献２】実用新案登録第３１１６２７０号公報
【特許文献３】実用新案登録第３１７０５９６号公報
【特許文献４】実開昭４８-２４６８７号公報
【発明の概要】
【発明が解決しようとする課題】
【００１１】
上記特許文献１に記載のものは、カバーが目蓋の湾曲度に合わせて皿状に湾曲せしめ、また、カバーの下縁を上目蓋の円弧に合わせた弧状に付け睫毛構成縁を切断形成したものであるため、そのための加工工程を要し、製造コストが高くつくものである。また、付け睫毛構成縁に沿って付け睫毛を付設することは技巧を要する。
【００１２】
上記特許文献２に記載のものは、全体が細線状素材で形成されており、目の付近にあてがって使用するものであるため、使用上の危険性が皆無というわけにいかず、試着者に何らかの恐怖感を与えるおそれがある。また、延伸把持部も細線状素材で形成されているため、指で延伸把持部を把持した際に延伸把持部が回転するおそれがあるので安定しない欠点がある。
【００１３】
上記特許文献３に記載のものは、支持部が棒状であり、該支持部が目の付近にあてがう部分であるため、使用上の危険性が皆無というわけにいかず、試着者に何らかの恐怖感を与えるおそれがある。また、支持部は、眼を開いたときの前記付け睫毛の装着ラインに沿って延びている構成であるため、そのための加工工程を要し、製造コストが高くつくものである。さらに、付け睫毛の装着ラインに沿って、付け睫毛を装着することは技巧を要する。
【００１４】
上記特許文献４に記載のものは、付け睫毛を販売するための包装容器そのものを加工したものであり、そのための加工工程を要するため製造コストが高くつくと共に、付け睫毛の価格に製造コストの高い包装容器の価格が加算されるので付け睫毛の販売価格が増大し、また、商品の購入後、包装容器は使い捨てとなるため、繰り返しの使用ができないので不経済である。
【００１５】
そこで、本発明者は、鋭意研究を重ね、製造コストが安価であり、試着者に危険性を全く感じさせず、かつ、付け睫毛の装着状態が容易に確認でき、しかも、繰り返し使用するための付け睫毛試着具を開発した。
【課題を解決するための手段】
【００１６】
本発明に係る付け睫毛試着具は、透明樹脂板上に透明な付け睫毛貼着部を備え、該付け睫毛貼着部は、付け睫毛を貼着することが可能であり、少なくとも片方の目及びその上下両目蓋を覆う大きさを有することを特徴とするものである。
【００１７】
また、前記付け睫毛試着具は、複数の付け睫毛貼着部を備える構成としてもよい。
【００１８】
さらに、前記付け睫毛試着具は、透明樹脂板の周縁が、中心に近い凹部と中心から遠い凸部とからなる屈曲状又は湾曲状をなし、前記凸部の１つ又は複数が付け睫毛貼着部である構成としてもよい。
【００１９】
さらにまた、前記付け睫毛試着具は、付け睫毛貼着部が平坦面である構成としてもよい。
【００２０】
また、前記付け睫毛試着具は、付け睫毛貼着部が、透明樹脂板上に設けた隆起部からなり、該隆起部は透明樹脂板に対して突出する垂直方向のなだらかな円弧と、該円弧の両端点を共通にし、透明樹脂板状上のなだらかな円弧とから形成される傾斜曲面を有する立体形状をなしている構成としてもよい。
【発明の効果】
【００２１】
以上のように本発明に係る付け睫毛試着具は、製造コストが安価であり、試着者に危険性を全く感じさせず、かつ、付け睫毛の装着状態が容易に確認でき、しかも、付け睫毛の包装容器と別体であり、消費されるものではないため販売店において消費者が繰り返して使用することができるものである。
【図面の簡単な説明】
【００２２】
【図１】本発明の実施例１に係る付け睫毛試着具の正面図である。
【図２】本発明の実施例１に係る付け睫毛試着具の使用状態を示す正面図である。
【図３】本発明の実施例２に係る付け睫毛試着具の正面図である。
【図４】本発明の実施例２に係る付け睫毛試着具の使用状態を示す正面図である。
【図５】本発明の実施例３に係る付け睫毛試着具の水平状態における斜視図である。
【図６】図５におけるVI-VI線断面図である。
【図７】本発明の実施例３に係る付け睫毛試着具に付け睫毛を貼着した状態を示す垂直状態における斜視図である。
【発明を実施するための形態】
【００２３】
以下、本発明に係る付け睫毛の好適な実施例を図面に基づいて説明する。
【実施例１】
【００２４】
本実施例に係る付け睫毛試着具１０は、透明樹脂板上に１つの透明な付け睫毛貼着部１１を備えたものである。透明樹脂板は、アクリルやポリエチレンテレフタレート等の合成樹脂の透明な板状物より構成される。
【００２５】
本実施例に係る付け睫毛試着具１０は、図１に示すように、細長の２等辺三角形の底辺を外方に円形に丸く広げた幅広の部分と、該底辺に対応する頂点を円形に丸くした幅狭の部分とを有する形状をなすものである。前記幅広の部分は、片方の目及びその上下両目蓋を覆う大きさであって平坦な面であり、付け睫毛貼着部１１として機能し、その平坦な表面に付け睫毛Ａを貼着して使用する。前記幅狭の部分は把持部１２として機能し、該把持部１２には、その中央に付け睫毛試着具１０を吊り下げる際に使用する貫通孔１３が設けられている。また、本実施例に係る付け睫毛試着具１０は、その付け睫毛貼着部１１を除いた余白を付け睫毛Ａに関する品番等の表示部としてもよい。
【００２６】
なお、本実施例における付け睫毛試着具１０は、上記の構成よりなるものであるが、必ずしも当該構成に限られるものではなく、透明樹脂板上に透明な付け睫毛貼着部を備え、該付け睫毛貼着部は、付け睫毛を貼着することが可能であり、少なくとも片方の目及びその上下両目蓋を覆う大きさを有する構成であればよい。
【００２７】
このように構成された実施例１の付け睫毛試着具１０は、図２に示すように、把持部１２を把持し、付け睫毛貼着部１１を片方の目にあてがい、付け睫毛Ａを目蓋の睫毛付近に位置させ、その状態を鏡で視認する。このように使用すれば、付け睫毛Ａを目蓋に実際に装着したのとほぼ同様な実装状態が確認できる。
【００２８】
上記のように構成した付け睫毛試着具１０は、これに種々の付け睫毛を貼着したものを用意しておけば、消費者がこのような付け睫毛試着具１０を付け睫毛毎に目にあてがうだけで、当該付け睫毛を装着した状態を確認することができ、好みに応じた付け睫毛を選択して購入することが可能となる。
【００２９】
以上のように本実施例に係る付け睫毛試着具１０は、透明の合成樹脂を上記した形状に形成するだけで製造できるので製造コストが安価である。また、付け睫毛試着具１０は、付け睫毛貼着部１１及び把持部１２がいずれも円形の丸みを帯びた形状であり、それ以外は直線状であって角張ったりまた尖ったりした箇所がないので安全性が高く、試着者に危険性を全く感じさせない。しかも、付け睫毛試着具１０は、付け睫毛の装着状態が容易に確認できる。さらに、睫毛試着具１０は、付け睫毛販売コーナに吊り下げなどして常に装備しておくことにより消費者が繰り返して使用することができる。
【実施例２】
【００３０】
本実施例に係る付け睫毛試着具２０は、透明樹脂板上に複数の透明な付け睫毛貼着部２１を備えたものである。透明樹脂板は、アクリルやポリエチレンテレフタレート等の合成樹脂の透明な板状物より構成される。
【００３１】
本実施例に係る付け睫毛試着具２０は、図３に示すように、５つの同一大きさの半円部を周囲に有する湾曲形状をなすものである。換言すれば、透明樹脂板の周縁は、前記半円部が付け睫毛試着具２０の中心から遠い凸部２０ａ、２０ｂ、２０ｃ、２０ｄ、２０ｅを形成し、凸部２０ａ、２０ｂ、２０ｃ、２０ｄ、２０ｅのそれぞれの間には、中心に近い凹部２０ｆ、２０ｇ、２０ｈ、２０ｉ、２０ｊを形成しており、これら凸部と凹部とからなる湾曲状をなすものである。これら５つの凸部２０ａ、２０ｂ、２０ｃ、２０ｄ、２０ｅは、それらの半円部を含む円状領域がそれぞれ片方の目及びその上下両目蓋を覆う大きさであって平坦な面であり、それぞれ付け睫毛貼着部として機能し、その平坦な表面に付け睫毛を貼着して使用する。本実施例においては、前記５つの円状領域のうち、４つを付け睫毛貼着部２１ａ、２１ｂ、２１ｃ、２１ｄとして付け睫毛Ａ１、Ａ２、Ａ３、Ａ４を貼着し、残る１つを把持部２２として使用する。該把持部２２には、その中央に付け睫毛試着具２０を吊り下げる際に使用する貫通孔２３が設けられている。また、本実施例に係る付け睫毛試着具２０は、その付け睫毛貼着部２１ａ、２１ｂ、２１ｃ、２１ｄを除いた余白を付け睫毛Ａ１、Ａ２、Ａ３、Ａ４に関する品番等の表示部としてもよい。
【００３２】
なお、本実施例における付け睫毛試着具２０は、上記の構成よりなるものであるが、必ずしも当該構成に限られるものではなく、透明樹脂板上に複数の透明な付け睫毛貼着部を備え、該付け睫毛貼着部は、付け睫毛を貼着することが可能であり、少なくとも片方の目及びその上下両目蓋を覆う大きさを有し、透明樹脂板の周縁が、中心に近い凹部と中心から遠い凸部とからなる屈曲状又は湾曲状をなし、前記凸部の１つ又は複数が付け睫毛貼着部である構成であればよい。
【００３３】
このように構成された実施例２の付け睫毛試着具２０は、図４に示すように、把持部２２を把持し、例えば付け睫毛貼着部２１ａを片方の目にあてがい、付け睫毛Ａ１を目蓋の睫毛付近に位置させ、その状態を鏡で視認する。このように使用すれば、付け睫毛Ａ１を目蓋に実際に装着したのとほぼ同様な実装状態が確認できる。
【００３４】
上記のように構成した付け睫毛試着具２０は、その４箇所の付け睫毛貼着部２１ａ、２１ｂ、２１ｃ、２１ｄに種々の付け睫毛Ａ１、Ａ２、Ａ３、Ａ４を貼着したものを用意しておけば、消費者が当該付け睫毛試着具２０を付け睫毛毎に目にあてがうだけで、当該付け睫毛を装着した状態を確認することができ、好みに応じた付け睫毛を選択して購入することが可能となる。また、さらに様々な付け睫毛付けを貼着した睫毛試着具２０を複数用意しておけば、さらに数多くの種類の付け睫毛を試着することができる。
【００３５】
以上のように本実施例に係る付け睫毛試着具２０は、透明の合成樹脂を上記した形状に形成するだけで製造できるので製造コストが安価である。また、付け睫毛試着具２０は、付け睫毛貼着部２１ａ、２１ｂ、２１ｃ、２１ｄ及び把持部２２がいずれも円形の丸みを帯びた形状であり、それ以外は直線状であって角張ったりまた尖ったりした箇所がないので安全性が高く、試着者に危険性を全く感じさせない。しかも、付け睫毛試着具２０は、付け睫毛の装着状態が容易に確認できる。さらに、睫毛試着具２０は、付け睫毛販売コーナに吊り下げなどして常に装備しておくことにより消費者が繰り返して使用することができる。
【実施例３】
【００３６】
本実施例に係る付け睫毛試着具３０は、実施例１及び２における付け睫毛試着具の付け睫毛貼着部の変形例である。
【００３７】
本実施例における付け睫毛貼着部３１は、図５及び図６に示すように、透明樹脂板上に設けた隆起部４０を備えるものである。該隆起部４０は、透明樹脂板から突出する垂直方向に対してやや傾斜したなだらかな円弧４１と、該円弧４１の両端点４１ａ、４１ｂを共通にし、透明樹脂板状上のなだらかな円弧４２とから形成される傾斜曲面４３を有する立体形状をなすものである。この立体形状は、睫毛の生え際形状に似せた形状にすることを目的とするものである。
【００３８】
上記のように構成した付け睫毛試着具３０は、その付け睫毛貼着部３１における隆起部４０の傾斜曲面４３に、図７に示すように、付け睫毛Ａを貼着すると、付け睫毛Ａを目蓋に付けているかのような立体的な状態になる。
【００３９】
したがって、この隆起部４０を実施例１及び２の付け睫毛貼着部１１、２１ａ〜２１ｄに設け、その傾斜曲面４３に付け睫毛を貼着して使用すると、より一層付け睫毛を貼着した実装状態が確認できる。
【符号の説明】
【００４０】
Ａ・・・・付け睫毛
１０・・・付け睫毛試着具
１１・・・付け睫毛貼着部
１２・・・把持部
１３・・・貫通孔
Ａ１〜Ａ４・・付け睫毛
２０・・・付け睫毛試着具
２０ａ〜２０ｅ・・凸部
２０ｆ〜２０ｊ・・凹部
２１ａ〜２１ｄ・・付け睫毛貼着部
２２・・・把持部
２３・・・貫通孔
３０・・・付け睫毛試着具
３１・・・付け睫毛貼着部
４０・・・隆起部
４１・・・透明樹脂板から突出する円弧
４１ａ、４１ｂ・・透明樹脂板から突出する円弧の両端
４２・・・透明樹脂板状上の円弧
４３・・・傾斜曲面
【図１】
2013189724.tif 000003
【図２】
2013189724.tif 000004
【図３】
2013189724.tif 000005
【図４】
2013189724.tif 000006
【図５】
2013189724.tif 000007
【図６】
2013189724.tif 000008
【図７】
2013189724.tif 000009